(57)【要約】      （修正有）【課題】経済的かつ極めて簡単な構成で、衣類を容易に取り出したり、収納したりすることができる洋服カバーを提供する。【解決手段】洋服を包着するための前側シート１２及び後側シート１３からなる洋服カバー本体１１と、前記洋服カバー本体１１の上部１４にハンガー提手２１を挿通する開口部を有するとともに、前記洋服カバー本体１１を掛着させることができる吊り下げ部１７を有することを特徴とする洋服カバー１０であり、前記洋服カバー本体１１はファスナー部１８を有したり、前記洋服カバー本体１１を２つ折りした際に、前記ハンガー提手２１を挿通することができる開口部を前記洋服カバー本体１１の下部にも有する場合がある。【選択図】図２
0003113913.tif 000002
【実用新案登録請求の範囲】
【請求項１】
洋服を包着するための前側シート及び後側シートからなる洋服カバー本体と、
前記洋服カバー本体の上部にハンガー提手を挿通する開口部を有するとともに、
前記洋服カバー本体を掛着させることができる吊り下げ部を有することを特徴とする洋服カバー。
【請求項２】
前記洋服カバー本体にファスナー部を有することを特徴とする請求項１に記載の洋服カバー。
【請求項３】
前記洋服カバー本体を２つ折りした際に、
前記ハンガー提手を挿通することができる開口部を前記洋服カバー本体の下部にも有することを特徴とする請求項１及び請求項２に記載の洋服カバー。
【考案の詳細な説明】
【技術分野】
【０００１】
本考案は、洋服カバーに関し、特には前記洋服カバー本体を掛着させることができる吊り下げ部を有する洋服カバーに関する。
【背景技術】
【０００２】
洋服ダンスなどにスーツやジャケットなどの衣類を収納するときは、衣類への埃の付着防止や防虫のため、洋服カバーに入れて保管することが多い。この場合、図５のように、スーツなどの衣類をハンガー７０に吊し、ハンガー提手を挿通する開口部を有する洋服カバー６０を掛け、衣類に洋服カバー６０を掛けた状態でハンガー７０をハンガー掛け部材７５などにで吊す。そして、必要となったときに、衣類を取り出して、使用後はその衣類をハンガー７０に掛けて、さらに洋服カバー６０を掛けた上で再び元のハンガー掛け部材７５に吊して保管する。
【０００３】
しかしながら、ハンガー７０に吊り下げた衣類を、洋服カバー６０を掛けた状態で洋服ダンスから取り出した後、洋服カバー６０から必要とする衣類を取り出すためには、再び、ハンガー７０をどこかに掛けて、あるいは、片手でハンガー７０をもった状態で、衣類を洋服カバー６０から取り出さなければならず、非常に煩雑である。
【０００４】
また、衣類を取り出した後の洋服カバー６０とハンガー７０を、元にあったハンガー掛け部材７５に吊す場合、周囲の衣類が折れたり、しわがつかないように、ハンガー掛け部材７５に掛けてあるハンガー７０をずらして収納しなければならない。さらに、使用済みの衣類や、新しい衣類などを、ハンガー７０に吊して洋服カバー６０を掛けて洋服ダンスに収納する場合、通常は多数の衣類が洋服カバー６０を掛けて、限られた空間の中に押し詰めるように収納されているため、収納する衣類と周囲の衣類にしわがつかないように、ハンガー７０をハンガー掛け部材７５に掛けることは、極めて困難である。
【０００５】
そこで、洋服ダンスからの衣類の出し入れを容易にするために、側部に出し入れ口を設けた洋服カバーがある（例えば、登録実用新案第３００３０９１号公報参照）。しかしながら、洋服ダンスの中のハンガー掛け部材にハンガーを吊したまま、衣類を洋服カバーから取り出すのは、実際には困難であり、ハンガー掛け部材からハンガーがずれたり、浮かび上がったりすることにより、ハンガーから衣類が滑り落ちたり、ハンガー掛け部材から洋服カバーを掛けた衣類がハンガーごと落下してしまうことなどが多かった。
【考案の開示】
【考案が解決しようとする課題】
【０００６】
従って、本考案は、前記の問題点を鑑みてなされたものであり、経済的かつ極めて簡単な構成で、衣類を容易に取り出したり、収納したりすることができる洋服カバーを提供するものである。
【課題を解決するための手段】
【０００７】
すなわち、請求項１の考案は、洋服を包着するための前側シート及び後側シートからなる洋服カバー本体と、前記洋服カバー本体の上部にハンガー提手を挿通する開口部を有するとともに、前記洋服カバー本体を掛着させることができる吊り下げ部を有することを特徴とする洋服カバーに係る。
【０００８】
請求項２の考案は、前記洋服カバー本体部材にファスナー部を有することを特徴とする請求項１に記載の洋服カバーに係る。
【０００９】
請求項３の考案は、前記洋服カバー本体を２つ折りした際に、前記ハンガー提手を挿通することができる開口部を前記洋服カバー本体の下部にも有することを特徴とする請求項１及び請求項２に記載の洋服カバーに係る。
【考案の効果】
【００１０】
請求項１の考案に係る洋服カバーは、洋服を包着するための前側シート及び後側シートからなる洋服カバー本体と、前記洋服カバー本体の上部にハンガー提手を挿通する開口部を有するとともに、前記洋服カバー本体を掛着させることができる吊り下げ部を有するので、経済的で極めて簡単な構成で、洋服カバーから衣類を極めて容易に取り出したり、収納したりすることができる。
【００１１】
請求項２の考案は、前記洋服カバー本体部材にファスナー部を有するので、洋服カバーからの衣類の出し入れを、さらに容易に行うことができる。
【００１２】
請求項３の考案は、前記洋服カバー本体を２つ折りした際に、前記ハンガー提手を挿通することができる開口部を前記洋服カバー本体の下部にも有するので、洋服カバーに衣類を収納したまま、持ち運ぶことができ、いわゆるテーラーバックとしても使用することができる。
【考案を実施するための最良の形態】
【００１３】
以下添付の図面に従って、この考案を詳細に説明する。図１は本考案の一実施例に係る正面図、図２は図１の洋服カバーから衣類を取り出す状態を示す正面図、図３は本考案の別例に係る正面図、図４は図３の洋服カバーを持ち運ぶ状態を示す正面図である。
【００１４】
請求項１に規定し、図示するように、洋服カバー１０は、洋服を包着するための前側シート１２及び後側シート１３からなる洋服カバー本体１１と、前記洋服カバー本体１１の上部１４にハンガー提手２１を挿通する開口部１６ａを有するとともに、前記洋服カバー本体１１を掛着させることができる吊り下げ部１７を有する。
【００１５】
洋服カバー１１本体の大きさ、形状は特に限定されず、洋服カバー本体１１の長さを長くして、コート用の洋服カバーなどとすることもできる。洋服カバー本体１１は、前側シート１２と後側シート１３により構成されるが、前側シート１２と後側シート１３の素材は、同じ素材にしても、それぞれ別々の素材にしてもよい。また、素材は特に限定されず、用途に応じて選択することができるが、経済的かつ軽量である不織布や、洋服カバー１０の中身を視認することができる酢酸エチレンビニル（ＥＶＡ）などの透明なビニール素材を用いることが好ましい。なお、例えばコート用の洋服カバーとするような場合、洋服カバー本体１１の上部１４に袋部を設け、洋服カバー本体１１を３つ折りにし、折り曲げたときに形成される前記洋服カバー本体１１の端部を前記袋部に差し込み、さらに、洋服カバー本体１１の側部に配したファスナー部により留着して、コートなどの衣類を収納して持ち運ぶことができるような構成とすることもできる。
【００１６】
前記洋服カバー本体１１の上部１４にはハンガー提手２１を挿通する開口部１６ａを有する。この開口部１６ａは、洋服カバー本体１１の上部１４であって、ハンガー提手２１が挿通できれば、位置や大きさは特に限定されず、前側シート１２と後側シート１３を縫製することにより形成してもよいし、図示のように、ファスナー部１８を洋服カバー本体１１の側部から上部にかけて設け、そのスライダーの位置により開口部１６ａを形成してもよい。
【００１７】
前記洋服カバー本体１１を掛着させることができる吊り下げ部１７は、前記ハンガー掛部材４０に掛着することができれば、長さ、大きさ、形状、素材などは特に限られず、吊り下げ部１７を前記洋服カバー本体１１に複数設けても構わない。例えば、前記洋服カバー本体１１の上部１４の外周付近に、紐や布などを２つ用いて、それぞれの一端を洋服カバー本体１１に係止し、前記洋服カバー本体１１をハンガー掛け部材４０に掛着できるように、それぞれの他端を結んだり、あるいは、バックルのようなもので留めることができる。また、ハンガー掛け部材４０から外れにくいＳ字形状などのフックを用いて、洋服カバー本体１１をハンガー掛け部材４０に掛着することもできる。なお、ハンガー掛け部材４０に掛着したり、外したりすることが片手でも容易にすることができる吊り下げ部１７として、面ファスナーを用いることが望ましい。
【００１８】
前記洋服カバー本体１１から衣類を取り出すときには、図２に示すように、吊り下げ部１７によって洋服カバー本体１１をハンガー掛け部材４０に掛着させた状態で、衣類とハンガー２０を極めて容易に取り出すことができる。また、洋服カバー本体１１はハンガー掛け部材４０に掛着したままであるので、洋服カバーごと衣類を取り出すときのように、洋服カバーのみを、ハンガーに掛けて元の場所に戻す必要がない。また、衣類を洋服カバー１０に収納するときには、ハンガー掛け部材４０に掛着された洋服カバー本体１１に、ハンガー２０に掛けた衣類を簡単に収納することができる。
【００１９】
前記洋服カバー１０から衣類を取り出す際の取り出し口の形態、位置などは特に限られず、衣類の取り出し口がそのまま開放されたままでも、シートを重ね合わせるようにしてもよく、また、取り出し口を洋服カバー本体１１の中央部や下部などに設けてもよい。特に、請求項２に規定するように、前記カバー本体１１にファスナー部１８を有する洋服カバー１０とすれば、取り出し口から衣類を取り出したり、収納したりすることが容易にできる。例えば、図示するように、洋服カバー本体１１の側部から上部の外周にファスナー部１８を設けると、洋服ダンスなどの狭い空間に、多数の衣類が洋服カバー１０を掛けて、押し詰めて収納されているような場合であっても、洋服カバー１０から衣類を簡単に取り出すことができる。なお、ファスナー部１８の位置や数は特に限られない。
【００２０】
また、請求項３に規定し、図３及び図４に示すように、前記洋服カバー本体１１を２つ折りした際に、前記ハンガー提手２１を挿通することができる開口部１６ｂを前記洋服カバー本体１１の下部１５にも有する洋服カバー１０であれば、衣類を洋服カバー１０に収納して洋服ダンスなどに保存するだけでなく、衣類を洋服カバー１０に収納した状態で持ち運ぶことも可能である。前記開口部１６ｂの大きさ、形態などは限定されず、実施例では、前記洋服カバー本体１１の下部１５に袋部１９を設け、袋部１９の底部中央付近に開口部１６ｂを有している。前記袋部１９を設けることで、洋服カバー本体１１の下部１５を袋部の中に収納することができ、洋服カバー１０の美観が向上し、開口部１６ｂを補強することもできる。
【図面の簡単な説明】
【００２１】
【図１】本考案の一実施例に係る正面図である。
【図２】図１の洋服カバーから衣類を取り出す状態を示す正面図である。
【図３】本考案の別例に係る正面図である。
【図４】図３の洋服カバーを持ち運ぶ状態を示す正面図である。
【図５】従来の洋服カバーの使用例を示す正面図である。
【符号の説明】
【００２２】
１０  洋服カバー
１１  洋服カバー本体
１２  前側シート
１３  後側シート
１４  上部
１５  下部
１６ａ、１６ｂ  開口部
１７  吊り下げ部
１８  ファスナー部
２１  ハンガー提手
【図１】
0003113913.tif 000003
【図２】
0003113913.tif 000004
【図３】
0003113913.tif 000005
【図４】
0003113913.tif 000006
【図５】
0003113913.tif 000007